(57)【要約】【課題】所定量の粒状物のみを取り出すことができるとともに、片手で容易に開閉することが可能な粒状物収納容器を提供する。【解決手段】略四角形状の底壁３０と、該底壁３０の周縁部から立設する側壁３１とによって粒状物２を収納する収納凹部３２を形成する容器本体３と、該収納凹部３２を覆う天壁４０を有し、該容器本体３を、該容器本体３の一角部に設けた軸部を中心とした回転方向にスライド可能に収納するカバー４と、を備え、容器本体３は、一角部の対角側の角部で粒状物２を所定量収納し、容器本体３のスライド時に解放する所定量保持部を区画する区画壁３６を有し、カバー４は、天壁４０から垂下して収納凹部３２の内側に位置する前方側壁４１を有し、容器本体３のスライド時に、区画壁３６が前方側壁４１に当接して該容器本体３のスライドを規制するとともに収納凹部３２を閉塞することを特徴とする。【選択図】図１
2015209264.tif 000002
【特許請求の範囲】
【請求項１】
略四角形状の底壁と、該底壁の周縁部から立設する側壁とによって粒状物を収納する収納凹部を形成する容器本体と、
該収納凹部を覆う天壁を有し、該容器本体を、該容器本体の一角部に設けた軸部を中心とした回転方向にスライド可能に収納するカバーと、を備え、
前記容器本体は、前記一角部の対角側の角部で粒状物を所定量収納し、前記容器本体のスライド時に解放する所定量保持部を区画する区画壁を有し、
前記カバーは、前記天壁から垂下して前記収納凹部の内側に位置する前方側壁を有し、
前記容器本体のスライド時に、前記区画壁が前記前方側壁に当接して該容器本体のスライドを規制するとともに前記収納凹部を閉塞することを特徴とする粒状物収納容器。
【発明の詳細な説明】
【技術分野】
【０００１】
本発明は、粒状の菓子、薬剤、栄養剤、及び美容剤等の粒状物を収納し、簡単な操作で所定量のみを取り出すことが可能な粒状物収納容器に関する。
【背景技術】
【０００２】
従来、所定量の粒状物を取り出すことができる粒状物収納容器として、例えば、特許文献１の容器が知られている。この容器は、粒状物を収納する収納凹部と収納凹部に連通する計量凹部とを有し、蓋（開閉部）を閉じた状態で容器を傾けて計量凹部内に所定量の粒状物を導入させ、次いで、蓋を開いて容器を反転させることにより、計量された粒状物を取り出すことができる。
【先行技術文献】
【特許文献】
【０００３】
【特許文献１】特開２００４−１８０７２６号公報
【発明の概要】
【発明が解決しようとする課題】
【０００４】
しかしながら、上記特許文献１のような容器は、収納凹部と計量凹部とが常に連通した状態にあるため、蓋を開けたまま容器を傾けると、収納凹部内の粒状物が計量凹部を通過して、過剰に出てきてしまう虞がある。また、片手で容器を開いて粒状物を取出すことは容易ではなく、操作性に改善の余地があった。
【０００５】
それゆえ、本発明は、所定量の粒状物のみを取り出すことができるとともに、片手で容易に開閉することが可能な粒状物収納容器を提供することを目的とする。
【課題を解決するための手段】
【０００６】
上記課題を解決するため、本発明に係る粒状物収納容器は、略四角形状の底壁と、該底壁の周縁部から立設する側壁とによって粒状物を収納する収納凹部を形成する容器本体と、
該収納凹部を覆う天壁を有し、該容器本体を、該容器本体の一角部に設けた軸部を中心とした回転方向にスライド可能に収納するカバーと、を備え、
前記容器本体は、前記一角部の対角側の角部で粒状物を所定量収納し、前記容器本体のスライド時に解放する所定量保持部を区画する区画壁を有し、
前記カバーは、前記天壁から垂下して前記収納凹部の内側に位置する前方側壁を有し、
前記容器本体のスライド時に、前記区画壁が前記前方側壁に当接して該容器本体のスライドを規制するとともに前記収納凹部を閉塞することを特徴とする。
【発明の効果】
【０００７】
本発明によれば、所定量の粒状物のみを取り出すことができるとともに、片手で容易に開閉することが可能な粒状物収納容器を提供することができる。
【図面の簡単な説明】
【０００８】
【図１】本発明に従う粒状物収納容器の一実施形態を示す斜視図である。
【図２】（ａ）は、図１に示す粒状物収納容器の正面図であり、（ｂ）は、図２（ａ）の粒状物収納容器におけるＡ−Ａ断面図であり、（ｃ）は、図２（ｂ）の粒状物収納容器におけるＢ−Ｂ断面図である。
【図３】図２（ｂ）に示す粒状物収納容器における開状態を示す断面図である。
【発明を実施するための形態】
【０００９】
以下、図面を参照して、本発明の粒状物収納容器について説明する。図１に示す本発明の一実施形態である粒状物収納容器（以下、単に「容器」ともいう。）１は、粒状物２を収納する容器本体３と、容器本体３を収納するカバー４とで構成される。また図１は、カバー４に対して容器本体３をスライドさせた開状態を表している。カバー４に対して容器本体３が突出する方向を前側としている。また、本実施形態の粒状物２は、略円板状であるが、これに限定されるものではなく、多角柱状や球状等、様々な形状が可能である。
【００１０】
図２（ａ）〜（ｃ）は、閉状態の容器１を示している。図示のように、容器本体３は、角部が湾曲した略四角形（長方形）状の底壁３０と、底壁３０の周縁部から立設する側壁３１とで形成された収納凹部３２を有し、粒状物２は当該収納凹部３２に収納される。また、容器本体３の一角部には円筒壁３３が設けられている。本実施形態においては、上記円筒壁３３及び後述する内筒壁４４で軸部を構成している。なお、軸部の構成は本実施形態に限定されるものではなく、容器本体３とカバー４とが相互に回転方向にスライド可能であればよい。また容器本体３は、円筒壁３３に連結する内側壁３４を有する。内側壁３４は側壁３１の内側に設けられ、図３に示す容器１の開状態で収納凹部３２を閉塞する。
【００１１】
容器本体３は、円筒壁３３が設けられた角部の対角側の角部に、粒状物２を所定量収納する所定量保持部３５を有しており、当該所定量保持部３５は、底壁３０から立設する区画壁３６によって区画されている。本実施形態において区画壁３６は側壁３１の一部を構成しており、所定量保持部３５への粒状物２の移動を妨げないよう構成された傾斜部３６ａと、傾斜部３６ａから連続して延びる縦壁３６ｂと、縦壁３６ｂから湾曲して延びる横壁３６ｃとで構成されている。なお、横壁３６ｃよりも前側には、側方に開口する開口部３７が形成されており、カバー４に対する容器本体３のスライド時に、解放された所定量保持部３５の粒状物２を当該開口部３７から取出すことができる。なお、図２（ｂ）及び図３に示すように、本実施形態において所定量保持部３５は、粒状物２を一個のみ収納可能な大きさに設定されているが、これに限られず、２個以上の粒状物２を収納するよう設定することも可能である。また、本実施形態において収納凹部３２の高さは、円板状の粒状物２の厚みよりも僅かに大きい高さに設定し、粒状物２が上下に重ならないよう構成している。
【００１２】
カバー４は、収納凹部３２を覆う天壁４０と、天壁４０の周縁部前方から垂下する前方側壁４１と、天壁４０の周縁部後方から垂下する後方側壁４２と、天壁４０の一方側の周縁部側方から垂下して後方側壁４２に繋がる側方側壁４３とを有している。後方側壁４２及び側方側壁４３の下端部には、内側に向けて突出して容器本体３の周縁部を下方から支持する支持リブ４２ａ、４３ａが設けられている。側方側壁４３の対向側には側壁が設けられておらず開放している。さらに、カバー４は、天壁４０から垂下し、容器本体３の円筒壁３３の内側に回動可能に嵌合する内筒壁４４を有する。内筒壁４４の外面下端部には、円筒壁３３の内面下端部に形成された凹部に嵌合して内筒壁４４を抜け止め保持するための凸部４４ａが設けられている。
【００１３】
ここで、カバー４の前方側壁４１は、上記収納凹部３２の内側に位置する。より詳細には、図２（ｂ）に示すように前方側壁４１は容器１の閉状態にて容器本体３の前方側の側壁３１の内側に位置する。これにより、容器本体３は、カバー４に対する後方側への移動を制限される。なお、本実施形態では、容器本体３の側壁３１の外側に配置された後方側壁４２によっても、容器本体３の後方側への移動を制限可能な構成としている。
【００１４】
このような構成により、容器本体３は、カバー４に対して所定の範囲内で軸部を中心とした回転方向にスライドすることができる。本実施形態においては、上記円筒壁３３及び内筒壁４４が軸部を構成しているが、軸部の構成はこれに限定されるものではなく、カバー４及び容器本体３に軸受を設けて、別に形成した軸部材を取り付ける構成としてもよい。
【００１５】
また、側方側壁４３の内面には係合突起４６が設けられており、係合突起４６は、横壁３６ｃの先端部に乗り越え可能に係合している。これにより、所定の力を加えなければ容器本体３がスライドしないため、例えば、閉状態から容器１を傾けただけで容器１が開いてしまうといった不具合を防止することができる。また、開状態から閉状態に容器本体３をスライドさせる場合には、横壁３６ｃの先端部が係合突起４６を乗り越える際に適度なクリック感を得ることができ、容器１が完全に閉まったことを感触で確認することができる。
【００１６】
本実施形態において、天壁４０の上面には、所定量保持部３５の位置が把握できるよう、目印のとなる突起４５が設けられている。また、当該突起４５は、開閉時にカバー４をスライドさせる際の滑り止めとして機能させることも可能である。
【００１７】
続いて、上記の構成を有する粒状物収納容器１の使用方法について説明する。図２（ｂ）に示すように、容器１の閉状態において収納凹部３２の粒状物２は所定量保持部３５に移動可能となっており、この状態で、容器１を所定量保持部３５が下側となるよう傾けることで、所定量保持部３５に粒状物２が収納される。
【００１８】
次いで、容器本体３をカバー４に対して前方側にスライドさせていくと、図３に示すように、区画壁３６が前方側壁４１の端部に当接して、当該容器本体３のスライドを規制する。また、同時に、区画壁３６および前方側壁４１により収納凹部３２が閉塞されるため、開状態において容器１を傾けたとしても収納凹部３２の粒状物２は外部に出てくることがなくなり、確実に所定量保持部３５に収納された粒状物２のみを取出すことが可能となる。
【００１９】
本実施形態の容器１は、例えば、容器本体３の下面とカバー４の上面を上下に挟み込むように片手で持ち、容器本体３を前方側、カバー４を後方側に移動させるよう力を加えることで容器本体３をスライドさせることができ、次いで容器１を傾けることで開口部３７から粒状物２を取り出すことができるので、片手のみの操作で容易に粒状物２を取出すことが可能となる。
【００２０】
また、本実施形態の粒状物収納容器１にあっては、所定量保持部３５を角部に設けたことにより、当該角部が下側となるように容器１を傾ける操作のみで容易に所定量保持部３５に粒状物２を収納することができる。そのため、高い確率で、一回の操作で所定量の粒状物２を取出すことできる。
【００２１】
また、本実施形態の粒状物収納容器１は、容器本体３及びカバー４の２部品のみからなり、構造も複雑ではないため成形が容易である。また、組み立てについても、収納凹部３２に粒状物２を充填した容器本体３に対して、カバー４を上方から嵌め込むだけの操作で組み立てることができるので、作業が容易である。
【００２２】
本発明に従う粒状物収納容器は、上述した実施形態に限定されるものではなく、特許請求の範囲に従う範囲で種々の変更が可能である。例えば、上記の実施形態では、カバー４が底板を有しない構成としたが、カバー４は、一体に又は別体に成形した底板を有する構成とすることも可能である。この場合、容器本体３を、カバー４の天壁と底板で上下に挟み込むように収納するが、カバー４の底板には開口または切り欠きを形成して、容器本体３の下面を少なくとも部分的に接触可能に構成することが好ましい。このような構成とすることで、カバー４の上面と、容器本体３の下面を挟み込むように把持して、相互に逆方向にスライドさせ易くなり、開閉時の操作が容易となる。
【符号の説明】
【００２３】
１  粒状物収納容器
２  粒状物
３  容器本体
４  カバー
３０  底壁
３１  側壁
３２  収納凹部
３３  円筒壁
３４  内側壁
３５  所定量保持部
３６  区画壁
３７  開口部
４０  天壁
４１  前方側壁
４２  後方側壁
４３  側方側壁
４４  内筒壁
４５  突起
４６  係合突起
【図１】
2015209264.tif 000003
【図２】
2015209264.tif 000004
【図３】
2015209264.tif 000005